(57)【要約】【課題】相手側コネクタをこじりながら挿入してもガイド部が破損する虞が少ないコネクタを提供する。【解決手段】プラグ側コネクタ２１を受け容れる受容孔３１と、この受容孔３１のコンタクト配列方向Ｄ２の両端部に位置し、プラグ側コネクタ２１を嵌合方向Ｄ１に沿って案内する２つのガイド部３２とをハウジング３に形成する。金属板で、ハウジング３のコンタクト配列方向Ｄ２とほぼ平行な第１の外面を覆う第１被覆部５１と、ハウジング３のコンタクト配列方向Ｄ２とほぼ平行な第２の外面を覆う第２被覆部５２と、第１被覆部５１と第２被覆部５２とを連結するとともにハウジング３の正面の両端部を覆う２つの連結部５３とを形成し、シェルを構成する。２つの連結部５３に、ハウジング３の厚さ方向Ｄ３で対向し、プラグ側２１コネクタを嵌合方向Ｄ１へ案内する１対のガイド面５３ｂを有する切欠５３ａをそれぞれ形成する。【選択図】図２
2007323923.tif 000002
【特許請求の範囲】
【請求項１】
複数のコンタクトを保持するとともに、相手側コネクタを受け容れる受容孔と、この受容孔のコンタクト配列方向の両端部に位置し、前記相手側コネクタを嵌合方向に沿って案内する２つのガイド部とを有するハウジングと、
このハウジングの前記コンタクト配列方向とほぼ平行な第１の外面を覆う第１被覆部と、前記ハウジングの前記コンタクト配列方向とほぼ平行な第２の外面を覆う第２被覆部と、前記第１被覆部と第２被覆部とを連結するとともに前記ハウジングの正面の両端部を覆う２つの連結部とを有し、金属板で形成されたシェルと
を備えているコネクタにおいて、
前記２つの連結部はそれぞれ前記嵌合方向で前記ガイド部と対向する切欠を有し、
この切欠は前記ハウジングの厚さ方向で対向し、前記相手側コネクタを前記嵌合方向へ案内する１対のガイド面を有する
ことを特徴とするコネクタ。
【発明の詳細な説明】
【技術分野】
【０００１】
この発明はコネクタに関し、特にシェルを備えたコネクタに関する。
【背景技術】
【０００２】
従来、シェルを備えるコネクタが知られている（下記特許文献１参照）。
【０００３】
インシュレータ（ハウジング）は相手側コネクタの接続部を受容するための嵌合孔（受容孔）を有する。インシュレータの嵌合孔のコンタクト配列方向の両端部には相手側コネクタを嵌合方向へ案内するガイド部が位置する。
【０００４】
シェルは金属板をプレス加工して形成され、上面部と下面部とこれらを連結する連結部とを有している。
【０００５】
シェルの前面には、相手側コネクタを嵌合孔に誘い込むためのガイド面が形成されている。ガイド面は嵌合方向に対して傾斜した面である。
【特許文献１】特開２００４−３２７１６８号公報（段落００３６、００４６，００４８参照）
【発明の開示】
【発明が解決しようとする課題】
【０００６】
上述のコネクタの嵌合孔に相手側コネクタをその厚さ方向へこじる（相手側コネクタを揺動させる動作）ようにして挿入した場合、シェルのガイド面は相手側コネクタに接触するが、ガイド面と相手側コネクタの下面とのなす角度が小さく、しかもガイド面は弾性変形可能であるので、相手側コネクタのこじる動きを抑制することは殆どできない。このため、ガイド部が破損する虞があった。
【０００７】
この発明はこのような事情に鑑みてなされたもので、その課題は相手側コネクタをこじりながら挿入してもガイド部が破損する虞が少ないコネクタを提供することである。
【課題を解決するための手段】
【０００８】
前述の課題を解決するため請求項１の発明のコネクタは、複数のコンタクトを保持するとともに、相手側コネクタを受け容れる受容孔と、この受容孔のコンタクト配列方向の両端部に位置し、前記相手側コネクタを嵌合方向に沿って案内する２つのガイド部とを有するハウジングと、このハウジングの前記コンタクト配列方向とほぼ平行な第１の外面を覆う第１被覆部と、前記ハウジングの前記コンタクト配列方向とほぼ平行な第２の外面を覆う第２被覆部と、前記第１被覆部と第２被覆部とを連結するとともに前記ハウジングの正面の両端部を覆う２つの連結部とを有し、金属板で形成されたシェルとを備えているコネクタにおいて、前記２つの連結部はそれぞれ前記嵌合方向で前記ガイド部と対向する切欠を有し、この切欠は前記ハウジングの厚さ方向で対向し、前記相手側コネクタを前記嵌合方向へ案内する１対のガイド面を有することを特徴とする。
【０００９】
上述のように２つの連結部はそれぞれ嵌合方向でガイド部と対向する切欠を有し、この切欠はハウジングの厚さ方向で対向し、相手側コネクタを嵌合孔方向へ案内する１対のガイド面を有するので、相手側コネクタをその厚さ方向へこじりながら受容孔に挿入したとき、１対のガイド面は相手側コネクタを受け止める。この結果、相手側コネクタのこじり運動が抑制される。
【発明の効果】
【００１０】
この発明によれば、相手側コネクタをこじりながら挿入してもガイド部が破損する虞が少ないコネクタを提供することができる。
【発明を実施するための最良の形態】
【００１１】
以下、この発明の実施の形態を図面に基づいて説明する。
【００１２】
図１はこの発明の一実施形態に係るレセプタクル側コネクタの斜視図、図２は図１に示すレセプタクル側コネクタのシェルの連結部の斜視図、図３は図１に示すレセプタクル側コネクタのシェルの連結部の正面図、図４は図１に示すレセプタクル側コネクタにプラグ側コネクタを嵌合させた状態を示す正面図、図５は図１のＶ−Ｖ線に沿う断面図である。
【００１３】
図１〜５に示すように、レセプタクル側コネクタ（コネクタ）１はハウジング３とシェル５とを備える。
【００１４】
ハウジング３は合成樹脂で形成され、受容孔３１と２つのガイド部３２とを有する。受容孔３１はプラグ側コネクタ（相手側コネクタ）２１を受け容れる。ハウジング３には複数のコンタクト７がコンタクト配列方向Ｄ２に沿って保持されている。
【００１５】
２つのガイド部３２はコンタクト配列方向Ｄ２の両端部に位置し、プラグ側コネクタ２１を嵌合方向Ｄ１に沿って案内する。
【００１６】
シェル５は、例えば、所定形状の１つの金属板を折り曲げ加工することによって形成されたものであり、第１被覆部５１と第２被覆部５２と２つの連結部５３とを有する。
【００１７】
第１被覆部５１はハウジング３の上面（コンタクト配列方向Ｄ２と平行な第１の外面）３３を覆う。
【００１８】
第２被覆部５２はハウジング３の下面（コンタクト配列方向Ｄ２と平行な第２の外面）３４を覆う。
【００１９】
２つの連結部５３はそれぞれ第１被覆部５１と第２被覆部５２とを連結するとともに、ハウジング３の正面の両端部を覆う。２つの連結部５３にはそれぞれ切欠５３ａが形成されている。切欠５３ａはそれぞれ嵌合方向Ｄ１でガイド部３２に対向する。切欠５３ａは１対のガイド面５３ｂを有する。１対のガイド面５３ｂはハウジング３の厚さ方向Ｄ３で対向する。また、１対のガイド面５３ｂはプラグ側コネクタ２１を嵌合孔方向Ｄ１に沿って案内する。
【００２０】
１対のガイド面５３ｂは、切欠５３ａを形成したときにできる面であり、嵌合方向Ｄ１及びコンタクト配列方向Ｄ２とほぼ平行な面である。また、１対のガイド面５３ｂはプラグ側コネクタ２１を挟む。
【００２１】
プラグ側コネクタ２１をレセプタクル側コネクタ１の受容孔３１に挿入するとき、プラグ側コネクタ２１をその厚さ方向Ｄ３にこじると、プラグ側コネクタ２１がガイド面５３ｂに接触する。このとき、ガイド面５３ｂはプラグ側コネクタ２１に対してほぼ直角に突き当たる。ガイド面５３ｂは連結部５３が弾性変形しない限り動かないので、プラグ側コネクタ２１のこじりの動きが抑制される。この結果、ハウジング３のガイド部３２がプラグ側コネクタ２１によってこじられることがない。
【００２２】
この実施形態によれば、プラグ側コネクタ２１をこじりながらレセプタクル側コネクタの受容孔３１に挿入してもレセプタクル側コネクタのガイド部３２が破損する虞が少ない。
【図面の簡単な説明】
【００２３】
【図１】図１はこの発明の一実施形態に係るレセプタクル側コネクタの斜視図である。
【図２】図２は図１に示すレセプタクル側コネクタのシェルの連結部の斜視図である。
【図３】図３は図１に示すレセプタクル側コネクタのシェルの連結部の正面図である。
【図４】図４は図１に示すレセプタクル側コネクタにプラグ側コネクタを嵌合させた状態を示す正面図である。
【図５】図５は図１のＶ−Ｖ線に沿う断面図である。
【符号の説明】
【００２４】
３  ハウジング
５  シェル
２１  プラグ側コネクタ
３１  受容孔
３２  ガイド部
５１  第１被覆部
５２  第２被覆部
５３  連結部
５３ａ  切欠
５３ｂ  ガイド面
Ｄ１  嵌合方向
Ｄ２  コンタクト配列方向
Ｄ３  厚さ方向
【図１】
2007323923.tif 000003
【図２】
2007323923.tif 000004
【図３】
2007323923.tif 000005
【図４】
2007323923.tif 000006
【図５】
2007323923.tif 000007